(57)【要約】      （修正有）【課題】観察したい生体の細胞内にある血管、血流、細胞組織に物理的刺激を一切あたえず、観察試料と光学機器の間隔を離して簡単に観察可能にすると共に観察部の観察映像をモニターＴＶ上で観察もしくは、必要に応じて裸眼で光学機器より観察できるようにする。【解決手段】人の指（人の指の爪と皮膚との境界線に近い部分）１２の表面に透明体のゲル状溶液１１を塗布して観察したい視野を設定して対物レンズ１６の回りから光１４を照射する。その時、鮮明な画像１３・Ａをズーム式顕微鏡１８で捕らえた前記鮮明な画像１３・Ａは光学的に拡大画像１３・Ｂに変換され、さらにＣＣＤカメラ２５で電気信号に変換してＣＣＤカメラケーブ２７・ＣＣＤカメラコントロールインターフェイス基盤２９を通してパーソナルコンピュータ３０に拡大画像１３・Ｂを取り込み、観察映像信号を表示するモニターＴＶ３２に前記拡大画像１３・Ｂを再現する。【選択図】図１
0003112102.tif 000002
【実用新案登録請求の範囲】
【請求項１】
観察したい生体試料に対して外部からの刺激がなく、自然な状態で観察するために、透明体もしくは着色されている透明体のゲル状溶液を前記観察したい生体試料の表面に塗布することにより、前記観察したい生体試料の表面より効率よく内部側にある細胞内の血管、血流、細胞組織状態を観察できることを特徴とした観察光学機器。
【請求項２】
前記観察したい生体試料に対して外部からの刺激がなく、自然な状態で効率よく観察し且つ操作性を良くするために、前記観察したい生体試料と光学機器の対物レンズの距離を離して非接触で観察ができることを特徴とした請求項１に記載の観察光学機器。
【考案の詳細な説明】
【技術分野】
【０００１】  本考案は色々な生体の細胞内にある血管、血流、細胞組織を外部からの刺激がなく、自然な状態で効率よく観察するための観察光学機器に関するものである。
【背景技術】
【０００２】  従来の生体の細胞内にある血管、血流、細胞組織の観察は、物理的に前記細胞組織を体内から採取したり、前記血管、血流を観察するために皮膚をはがしたり傷つけたりして光学機器などを用いて拡大観察していた。また従来の観察光学機器として特許公開平１１−２９９７６１、特許公開２０００−２０６１１８の観察内容は、高輝度の照明を必要としているために生体に対する外部からの刺激が多く、コストもかかり、前記観察光学機器もコンパクトに一体化出来ず、さらに単純に生体の側部より光を照射しているために生体の表面から発する反射光がノイズとなり内部の血管、血流や細胞組織の鮮明な観察が困難であった。
【考案の開示】
【考案が解決しようとする課題】
【０００３】  以上に述べた従来の方法だと、生体の細胞内にある血管、血流、細胞組織に対する外部からの刺激により形而変化をおこして自然のままの観察ができず、また観察試料の表面上での反射により内部の細胞組織や血管、血流の観察が困難であったために観察結果や解析結果は得られなかった。【０００４】  さらに前記観察試料の内側に光が入りにくいために高輝度の光が必要とされ、また前記高輝度の光の熱により前記生体の細胞内にある血管、血流、細胞組織が刺激を受けてしまうため、自然の状態でうまく観察できなかった。【０００５】  本考案は、このような従来の構成が有していた問題を解決しようとするものであり、その目的とするところは、観察したい生体の細胞内にある血管、血流、細胞組織に対して非接触で且つ外部からの刺激により形而変化をおこさないように自然の状態で効率の良い観察や正確な解析を可能とする観察光学機器を提供することである。
【課題を解決するための手段】
【０００６】  前記目的を達成するために、本考案に係る観察光学機器は次のように構成したものである。【０００７】  上記の課題を解決するために請求項１、請求項２に記載の考案は、観察したい生体の細胞内にある血管、血流、細胞組織に対して観察する光学機器（観察試料と対物レンズの距離が取れるもの、例えば実体顕微鏡・生物顕微鏡  等）を設定し、前記観察試料の表面に焦点を合わせ、光を対物レンズの外側からもしくは、対物レンズの内側から前記観察試料に照射し、前記観察試料の表面に透明体もしくは着色されている透明体のゲル状溶液を塗布することにより今まで解決できなかった表面の反射光がキャンセルされ、さらに前記透明体もしくは着色されている透明体のゲル状溶液により少ない光量でも生体の細胞内の内側に効率良く前記光を導きさらには前記透明体もしくは着色されている透明体のゲル状溶液によってレンズ効果をもたらしてはっきりとした高解像の前記生体の細胞内にある血管、血流、細胞組織画像が浮かび上がって見えてくる。  また前記観察試料に対して光学機器の対物レンズを離して非接触観察ができることで操作が扱いやすくさらに前記観察試料に対する物理的な刺激もなく自然の状態での観察が可能となり、外部の刺激に対する正確な形而変化を観察できるようになった今までにない新しい観察光学機器により上記課題を解決している。
【考案の効果】
【０００８】  以上説明したように、請求項１に記載の考案によれば、観察試料の表面に透明体もしくは着色されている透明体のゲル状溶液を塗布して観察したい視野を光学機器により設定し、前記観察したい視野に対物レンズの回りから光を照射した時に、透明体もしくは着色されている透明体のゲル状溶液によって前記観察試料の表面の反射がキャンセルされて少ない光量でも細胞内の内側に効率良く前記光を導き、さらには前記透明体もしくは着色されている透明体のゲル状溶液によってレンズ効果をもたらしてはっきりとした高解像の前記生体の細胞内にある血管、血流、細胞組織画像が物理的な刺激もなく、自然の状態での観察可能となる。【０００９】  以上説明したように、請求項２に記載の考案によれば、前記観察したい生体の血管、血流、細胞組織に対して前記光学機器の対物レンズを離して非接触観察が可能なことで操作が扱いやすく前記観察したい生体の血管、血流、細胞組織に対する物理的な刺激もなく、自然の状態での観察が可能となり、また正確な形而変化の観察が可能となり、前記光学機器でとらえた前記高解像の生体の細胞内にある血管、血流、細胞組織画像は光学的に拡大画像に変換されて前記拡大画像をＣＣＤカメラで電気的カラー映像信号に変換してＣＣＤカメラケーブルと接続しているＣＣＤカメラコントロールインターフェイス基盤を通してパーソナルコンピュータに取り込み、前記電気的カラー映像信号を表示するモニターＴＶ上に鮮明に再現する今までない優れた効果のある新しい観察光学機器の提供が可能となる。
【考案を実施するための最良の形態】
【００１０】  以下、本考案に係る生体の細胞内にある血管、血流、細胞組織の観察光学機器の実施例につき、図１を参照して詳細に説明する。
【実施例】
【００１１】  図１は、本考案の一実施例を適用した観察光学機器（ズーム式顕微鏡）で人の指先の細胞内にある血管、血流、細胞組織の観察概要を模式的に示す構成説明図である。【００１２】  即ち、図１に示す実施例装置の構成において、本考案に係る生体の細胞内にある血管、血流、細胞組織の観察光学機器の構成は、人の指（人の指の爪と皮膚との境界線に近い部分）１２の表面に透明体のゲル状溶液１１を塗布して観察したい視野を設定する。前記観察したい視野に光源２３と光ファイバー１５で対物レンズ１６の回りから光１４を照射する。【００１３】  前記透明体のゲル状溶液１１の効果により前記観察したい視野の表面反射がキャンセルされ、さらに前記透明体のゲル状溶液１１が前記光１４を細胞内の内側に導き、さらにはレンズ効果をもたらして鮮明な画像１３・Ａをズーム式顕微鏡１８で捕らえる。【００１４】  前記ズーム式顕微鏡１８で捕らえた前記鮮明な画像１３・Ａは、前記対物レンズ１６およびズームレンズ１９で光学的に拡大画像１３・Ｂに変換される。その前記拡大画像１３・ＢをＣＣＤカメラ２５でとらえて電気的カラー映像信号１３・Ｃに変換し、接続しているＣＣＤカメラケーブル２７とＣＣＤカメラコントロールインターフェイス基盤２９を通してパーソナルコンピュータ３０に前記電気的カラー映像信号１３・Ｃを取り込み、前記パーソナルコンピュータ３０から前記電気的カラー映像信号１３・Ｃを表示するモニターＴＶ３２に再現する構成である。【００１５】  ここで、前記透明体のゲル状溶液１１は着色があっても良いが、なるべく気泡の少ないものが好ましい。また生体の細胞内にある血管、血流、細胞組織の観察において、試料の内容や目的にあわせて前記透明体のゲル状溶液１１は透明体だけでなく、赤色、青色、緑色など着色した半透明体のゲル状溶液や成分を加えたゲル状溶液、例えば発光体成分を加えたゲル状溶液などでもかまわない。【００１６】  ここで、前記光源２３は、ＡＣ電源をＤＣに変えるスイッチング電源２１とランプ（例えばハロゲンランプ）２４と熱線をカットする熱線カットフィルター２２、さらにランプ２４から出力された前記光１４を前記透明体のゲル状溶液１１まで導き、照射する前記光ファイバー１５から構成されている。また前記透明体のゲル状溶液１１により高輝度の光を必要としていないため試料の内容や目的に合わせたＬＥＤ光源、例えば白色、赤色、緑色、青色、赤外、紫外ＬＥＤなどでもかまわない。【００１７】  ここで前記ズーム式顕微鏡１８は、前記光源２３からの前記光１４を前記透明体のゲル状溶液１１まで導く前記光ファイバー１５と、前記鮮明な画像１３・Ａを拡大してとらえる前記対物レンズ１６、さらにその画像を自在に拡大・縮小可能な前記ズームレンズ１９、その拡大画像１３・ＢをＣＣＤカメラ２５まで導く鏡筒２０で構成されている。【００１８】  さらに光学的に拡大された前記拡大画像１３・Ｂを前記ＣＣＤカメラ２５の内部にあるＣＣＤ素子（Ｃｈａｒｇｅ  Ｃｏｕｐｌｅｄ  Ｄｅｖｉｃｅ）２６で前記電気的カラー映像信号１３・Ｃに変換し、前記ＣＣＤカメラケーブル２７と接続している前記ＣＣＤカメラコントロールインターフェイス基盤２９を通して前記パーソナルコンピュ���タ３０に前記電気的カラー映像信号１３・Ｃとして取り込み前記モニターＴＶ３２に再現する構成である。【００１９】  ここで、前記パーソナルコンピュータ３０に取り込んだ前記電気的カラー映像信号１３・Ｃを、さらに色々な画像計測・画像処理ソフトウエアー３１で、例えば細胞の形而変化の数値化、血流の流速計測、血管の形而変化の数値化など前記電気的カラー映像信号１３・Ｃを数値化し色々な評価や検査・診断として表現可能となる。【００２０】  従って、本実施例装置の具体的構成では、先に述べた従来例の場合と比較して次のようなそれぞれの効果が得られる。
即ち
（Ａ）  今までの観察法とは異なり物理的な刺激を与えず、自然のままの状態で効率よく観察可能になった。
（Ｂ）  観察したい試料の表面に透明体のゲル状溶液を塗布するだけで「表面上の反射防止効果」・「少ない光量でも細胞の内側に光を導きより観察試料が観察しやすくなる」・「レンズ効果をもたらしてはっきりとした高解像の画像をとらえられる」など多様な効果をもたらして簡単に観察可能になった。
（Ｃ）  この観察光学機器により画像をとらえる対物レンズと試料との間隔に距離をもたせることにより簡易な観察と簡易に試料に対する化学的刺激（例えば、薬投与の効果の確認）などが可能になった。
（Ｄ）  さらにこの拡大画像をＣＣＤカメラでとらえて電気的カラー映像信号に変換しパーソナルコンピュータに取り込むことにより画像のデジタル化、画像の数値化が可能となり、いろいろな方向からの観察・診断・検査が可能になった。
等である。【００２１】  なお、前記実施例構成においては、生体の細胞内にある血管、血流、細胞組織の観察とそのとらえた観察画像の拡大されたカラー映像を観察する場合について述べたが、必ずしも観察に使用されるゲル状溶液は透明な砂糖水に限定されるものではなく、なるべく透明な気泡のないゲル溶液が好ましい。【００２２】  またこのようにカラー化・デジタル化による映像観察行う点に限定されるものではなく、必要に応じては裸眼での顕微鏡による接眼からの観察やモノクロによる映像観察またはアナログカメラによる映像観察などをなすことも可能である。【００２３】  以上、実施例よって詳述したように、本考案によれば、観察したい生体の細胞内にある血管、血流、細胞組織の表面に透明体のゲル状溶液を塗布して観察したい視野を設定してレンズ回りから光を照射する。その時ゲル状溶液により表面の反射がキャンセルされ、さらに光を細胞の内側に導き、さらには画像にレンズ効果をもたらして鮮明な画像が観察可能となる。【００２４】  さらに拡大して観察するためにズーム式顕微鏡で捕らえた鮮明な画像は、光学的に拡大画像に変換される。その拡大画像をＣＣＤカメラで電気的カラー映像信号に変換してＣＣＤカメラケーブルと接続しているＣＣＤカメラコントロールインターフェイス基盤を通してパーソナルコンピュータに取り込み、その電気的カラー映像信号を表示するモニターＴＶ上に鮮明に再現し、例えば臨床実験による形而変化の確認、多数病気の早期発見、など診断・検査が行うことができる今までない優れた効果のある新しい観察光学機器の提供が可能となる。【００２５】  また前記電気的カラー映像信号をパーソナルコンピュータに取り込むことにより画像のデジタル化が可能となり、さらには画像計測・画像処理ソフトウェアーで画像の数値化が簡易となり、いろいろな方向からの観察・診断・検査が行うことができるなどの利点や今後の飛躍が可能となる。
【図面の簡単な説明】
【図１】  本考案の一実施例を適用した光学機器（ズーム式顕微鏡）で人の指先の細胞内にある血管、血流、細胞組織の観察法の概要を模式的に示す構成説明図（観察構成図及び観察試料拡大図）である。
【符号の説明】
１１  透明体のゲル状溶液（透明な砂糖水）
１２  人の指
１３−Ａ  鮮明な画像
１３−Ｂ  拡大画像
１３−Ｃ  電気的カラー映像信号
１４  光
１５  光ファイバー
１６  対物レンズ
１７  対物レンズ交換リング
１８  ズーム式顕微鏡
１９  ズーム機構部
２０  鏡筒
２１  スイッチング電源（ＡＣ電源からＤＣ電源へ変換）
２２  熱線カットフィルター
２３  光源
２４  ランプ（ハロゲンランプ）
２５  ＣＣＤカメラ（デジタル方式）
２６  ＣＣＤ素子（Ｃｈａｒｇｅ  Ｃｏｕｐｌｅｄ  Ｄｅｖｉｃｅ）
２７  ＣＣＤカメラケーブル
２８  ＣＣＤカメラケーブルコネクター
２９  ＣＣＤカメラコントローユニット
３０  パーソナルコンピュータ
３１  画像計測・画像処理ソフトウエアー
３２  ＴＶモニター
【図１】
0003112102.tif 000003